(57)【要約】【課題】側柵本体を起立と垂下状態の間で回動可能とした構成では、起立や水平状態において強固に支持して落下を確実に防止することと垂下又は水平状態から起立状態への操作を容易に迅速に行えることが好ましい。【解決手段】本発明では側柵本体４に嵌挿部７を設け、仰臥台の側部にボトムの長手方向に支持した支持棒体１を上記嵌挿部に嵌挿して起立状態から垂下状態の間で回動可能に支持し、支持棒体の少なくとも一端側にストッパー部材９を設け、側柵本体にストッパー棒体１０をストッパー部材に対して進退可能に支持したストッパー機構部８を構成し、ストッパー部材には、少なくとも側柵本体が起立状態においてストッパー棒体が前進する位置に係合部１３を設け、ストッパー機構部にはストッパー棒体を前進方向に付勢するばね１１を設け、ストッパー棒体をばねの付勢に抗して後退させる操作機構１２を設けた仰臥台における側柵の支持機構を提案している。【選択図】図１
2007244653.tif 000002
【特許請求の範囲】
【請求項１】
側柵本体に嵌挿部を設け、仰臥台の側部にボトムの長手方向に対応させて支持した支持棒体を上記嵌挿部に嵌挿して起立状態から垂下状態の間で回動可能に支持すると共に、支持棒体の少なくとも一端側にストッパー部材を設け、側柵本体にストッパー棒体をストッパー部材に対して進退可能に支持したストッパー機構部を構成すると共に、ストッパー部材には、少なくとも側柵本体が起立状態においてストッパー棒体が前進する位置に係合部を設け、ストッパー機構部にはストッパー棒体を前進方向に付勢するばねを設けると共に、ストッパー棒体をばねの付勢に抗して後退させる操作機構を設けたことを特徴とする仰臥台における側柵の支持機構。
【請求項２】
ストッパー部材は支持棒体の一端側のみに設けると共に、ストッパー部材に対応するストッパー機構部を側柵本体の一端側のみに設けたことを特徴とする請求項１に記載の仰臥台における側柵の支持機構。
【請求項３】
ストッパー部材は支持棒体の両端側に設けると共に、これらのストッパー部材に対応するストッパー機構部を側柵本体の両端側に設けたことを特徴とする請求項１に記載の仰臥台における側柵の支持機構。
【請求項４】
ストッパー部材には、側柵本体が起立状態においてストッパー棒体が前進する位置に加えて、側柵本体が水平状態においてストッパー棒体が前進する位置に係合部を設けたことを特徴とする請求項１〜３のいずれか１項に記載の仰臥台における側柵の支持機構。
【請求項５】
ストッパー棒体には、側柵本体を回動上昇させる際の前方側に傾斜面を形成したことを特徴とする請求項４に記載の仰臥台における側柵の支持機構。
【請求項６】
ストッパー機構部を側柵本体の両端側に設けると共に、これらのストッパー機構部の夫々に対応してストッパー部材に係合部を設けた構成において、側柵本体に解除操作部を設け、解除操作部と各ストッパー機構部の操作部との間を連動部材により接続したことを特徴とする請求項１、３〜５までのいずれか１項に記載の仰臥台における側柵の支持機構。
【請求項７】
解除操作部は側柵本体の左右方向の中央に配置したことを特徴とする請求項１〜６までのいずれか１項に記載の仰臥台における側柵の支持機構。
【発明の詳細な説明】
【技術分野】
【０００１】
本発明は、病院、その他の医療施設、介護施設等において使用する患者搬送用ストレッチャーや、診察台等の仰臥台における側柵の支持機構に関するものである。
【背景技術】
【０００２】
患者搬送用ストレッチャーや診察台等の仰臥台では、ボトム上の患者の落下を防止するために、側部に、ボトムの長手方向に対応させた側柵を設けている。この側柵は、患者の乗り降りに際して邪魔とならないように、例えば特許文献１、２に示されるように、側柵本体を起立状態と垂下状態の間で回動可能に支持した構成としている。即ち、このような側柵においては、患者の落下を防止する際には、側柵本体を回動上昇させて起立状態とし、この状態において種々の構成のストッパー機構により支持すると共に、患者の乗り降りの際には、ストッパー機構を解除し、側柵本体を回動下降させて垂下状態とする。また、上記特許文献１、２では、側柵本体を水平状態においても支持可能とすることにより、側柵本体を、点滴等の輸液や処置等の際に上肢を載せる上肢台としても利用できるようにしている。
【特許文献１】特開平１１−１９２２６３号公報
【特許文献２】特開平４−３４１２６４号公報
【発明の開示】
【発明が解決しようとする課題】
【０００３】
以上のように、側柵本体を起立状態と垂下状態の間で回動可能に支持した構成では、側柵本体を起立状態や水平状態において強固に支持して、落下を確実に防止することと、垂下状態又は水平状態から起立状態への操作を容易に迅速に行えることが好ましい。
本発明では、このような課題を解決することを目的とするものである。
【課題を解決するための手段】
【０００４】
上述した課題を解決するために、本発明では、側柵本体に嵌挿部を設け、仰臥台の側部にボトムの長手方向に対応させて支持した支持棒体を上記嵌挿部に嵌挿して起立状態から垂下状態の間で回動可能に支持すると共に、支持棒体の少なくとも一端側にストッパー部材を設け、側柵本体にストッパー棒体をストッパー部材に対して進退可能に支持したストッパー機構部を構成すると共に、ストッパー部材には、少なくとも側柵本体が起立状態においてストッパー棒体が前進する位置に係合部を設け、ストッパー機構部にはストッパー棒体を前進方向に付勢するばねを設けると共に、ストッパー棒体をばねの付勢に抗して後退させる操作機構を設けた構成の仰臥台における側柵の支持機構を提案する。
【０００５】
本発明では、上記の構成において、ストッパー部材は支持棒体の一端側のみに設けると共に、ストッパー部材に対応するストッパー機構部を側柵本体の一端側のみに設けた構成としたり、またストッパー部材は支持棒体の両端側に設けると共に、これらのストッパー部材に対応するストッパー機構部を側柵本体の両端側に設けた構成とすることができる。
【０００６】
また本発明では、上記の構成において、ストッパー部材には、側柵本体が起立状態においてストッパー棒体が前進する位置に加えて、側柵本体が水平状態においてストッパー棒体が前進する位置に係合部を設けることを提案している。
【０００７】
また本発明では、上記の構成において、ストッパー棒体が、側柵本体を回動上昇させる際の前方側に傾斜面を形成したものであることを提案している。
【０００８】
また本発明では、ストッパー機構部を側柵本体の両端側に設けると共に、これらのストッパー機構部の夫々に対応してストッパー部材に係合部を設けた構成において、更に側柵本体に解除操作部を設け、解除操作部と各ストッパー機構部の操作部との間を連動部材により接続した構成とすることを提案している。
【０００９】
更に本発明では、以上の構成において、解除操作部は側柵本体の左右方向の中央に配置した構成とすることを提案している。
【発明の効果】
【００１０】
請求項１の発明では、側柵本体が起立状態においては、側柵本体のストッパー機構部に進退可能に支持されたストッパー棒体がばねの付勢により前進して、ストッパー部材に設けた係合部に係合するので、側柵本体の支持棒体の回りの回動が阻止されて側柵本体は起立状態が維持される。
【００１１】
ストッパー機構部及びそのストッパー棒体が係合する係合部を側柵本体の両端側に対応して設ければ、側柵本体をより強固に支持することができるのであるが、ストッパー棒体及び係合部を強固な構成とすることにより、一端側のみでも十分に支持することもでき、後者の構成では係合の解除操作を一個所で容易に行うことができる。
【００１２】
患者の乗り降り等に際して、起立状態に支持されている側柵本体を下降する場合には、操作部を操作してストッパー棒体を係合部から後退させて係合を解除し、この状態で側柵本体を回動下降させて垂下状態にもたらすことができる。
【００１３】
請求項４の発明においては、ストッパー部材に、側柵本体が起立状態においてストッパー棒体が前進する位置に加えて、側柵本体が水平状態においてストッパー棒体が前進する位置に係合部を設けているため、側柵本体を水平状態に支持することができ、従って水平状態の側柵本体を、点滴等の輸液や処置等の際に上肢を載せる上肢台としても利用することができる。
【００１４】
請求項５の発明においては、ストッパー棒体が係合部に係合して側柵本体が水平状態に支持されている状態において、側柵本体を回動上昇させると、ストッパー棒体の前方側に形成した傾斜面が係合部の端縁から押圧力を受けて、それによってストッパー棒体が次第に後退して係合部を乗り越えて行く。このため、側柵本体は、ストッパー棒体を操作部により操作せずに、起立状態まで回動上昇することができる。
【００１５】
次に請求項６、７の発明においては、ストッパー機構部と、そのストッパー棒体が係合する係合部を、側柵本体の両端側に対応して設けた構成において、いずれか一端側のみに設けた場合と比較して、起立状態や水平状態での側柵本体の支持を、より強固に行うことができ、また両側のストッパー棒体の係合解除操作は、解除操作部を側柵本体の左右方向の中央に配置することにより容易に行うことができる。
【発明を実施するための最良の形態】
【００１６】
次に本発明に係る仰臥台における側柵の支持機構の第１の実施の形態を図１〜図１３を参照して説明する。
図１は本発明を適用した側柵を、起立状態においてボトム（図示省略）側から見た状態の斜視図、図２はボトムの外方から見た状態の正面図である。また図３〜図６は動作を示す模式的斜視図、また図７〜図１３は動作を示す模式的断面図である。
符号１は支持棒体であって、この支持棒体１の両端側に取付部材２を設けており、これらの取付部材２を仰臥台（図示省略）のボトム支持フレーム３に固定することにより、支持棒体１を、仰臥台（図示省略）の側部に、ボトムの長手方向に対応させて支持するものとしている。
【００１７】
符号４は側柵本体を示すものであって、この側柵本体４は、構造部材としての矩形フレーム５と、矩形フレーム５を覆う外装部材６とから構成されているのであるが、外装部材６は便宜的に省略して２点鎖線で示している。矩形フレーム５の下部両端側には上記支持棒体１を嵌挿可能な筒状の嵌挿部７とストッパー機構部８を構成しており、上記支持棒体１を嵌挿部７に嵌挿することにより、側柵本体４を起立状態から垂下状態の間で回動可能に支持している。そして支持棒体１の両端側、この実施例において嵌挿部７の外側で、取付部材２の内側に、ストッパー機構部８に対応するストッパー部材９を設けている。
【００１８】
一方、ストッパー機構部８には、ストッパー棒体１０をストッパー部材９に対して進退可能に支持し、このストッパー棒体１０を前進方向に付勢するばね１１を設けると共に、ストッパー棒体１０をばね１１の付勢に抗して後退させる操作機構１２を設けている。そしてストッパー部材９には、側柵本体４が起立状態においてストッパー棒体１０が前進する位置に第１の係合部１３を設けると共に、側柵本体４が水平状態においてストッパー棒体１０が前進する位置に第２の係合部１４を設けている。また操作機構１２は、操作軸１５を回転板１６により回動操作してストッパー棒体１０を後退させる機構としており、矩形フレーム５の左右側の操作機構１２の夫々の回転板１６に連結した操作リンク１７の端部を矩形フレーム５の中央上部に移動可能に支持することにより解除操作部１８を構成している。
【００１９】
ストッパー棒体１０を進退可能に支持し、前進方向にばねにより付勢すると共に、ストッパー棒体１０をばね１１の付勢に抗して操作機構１２により後退させる機構は、例えばドアの錠前におけるラッチの機構を利用することができる他、適宜の機構を利用することができる。
【００２０】
この実施の形態では、上記機構はドアの錠前におけるラッチの機構を利用したもので、図７〜図１３に示されるように、ストッパー棒体１０は錠前のラッチ状の形状をしており側柵本体４を回動上昇させる際の前方側に傾斜面１９が形成されている。このラッチ状のストッパー棒体１０は、ばね１１の付勢方向と逆方向に加わる外力により後退方向に自由に移動が可能であり、また図中２点鎖線で模式的に示す移動機構２０により強制的に後退することができる機構である。このようなドアの錠前におけるラッチの機構は周知であるので詳細な説明は省略する。
【００２１】
以上の構成において、図１、図２、図３及び図７に示されるように側柵本体４が起立状態においては、ストッパー機構部８に進退可能に支持されたストッパー棒体１０がばね１１の付勢により前進して、ストッパー部材９に設けた第１の係合部１３に係合するので、側柵本体４の、支持棒体１の回りの回動が阻止されて側柵本体４は起立状態が維持される。尚、起立状態の側柵本体４は、ストッパー棒体１０の、傾斜面１９とは逆側の面が第１の係合部１３に係合して、その方向の回動が阻止されると共に、逆方向には側柵本体４の回動上昇の上限を設定する適宜のストッパー機構により回動が阻止されて、起立状態が維持される。
【００２２】
次に患者の乗り降り等に際して、図７に示されるように起立状態に支持されている側柵本体４を下降する場合には、解除操作部１８において、操作リンク１７の端部を、例えば片手で同時に引くと、回転板１６により操作軸１５が回動して移動機構２０が動作し、図８に示されるように左右側のストッパー機構部８のストッパー棒体１０が同時に第１の係合部１３内から外れる。従って図９に示されるように側柵本体４を支持棒体１の回りに回動して下降することができる。
【００２３】
解除操作部１８において上述したストッパー棒体１０の後退操作を行って、側柵本体４の回動下降を開始した後、解除操作部１８において操作リンク１７の端部から手を離して解除操作を止めると、側柵本体４が水平状態に至って、ストッパー棒体１０が第２の係合部１４に対応した際、図４、図８に示されるようにストッパー棒体１０はばね１１の付勢により前進して第２の係合部１４内に挿入されて係合する。
【００２４】
従って側柵本体４は水平状態に支持され、従って水平状態の側柵本体４を、点滴等の輸液や処置等の際に上肢を載せる上肢台として利用することができる。
【００２５】
次いで側柵本体４を垂下状態まで下降させるには、図５に示されるように上述と同様に解除操作部１８において上述したストッパー棒体１０の後退操作を行った後に側柵本体４を下降させて、図６、図９に示されるように垂下状態とすることができる。
【００２６】
起立状態において解除操作部１８で行ったストッパー棒体１０の後退操作を、側柵本体４が水平状態よりも僅かに回動下降した位置まで継続することにより、上述した水平状態における係合動作を経ずに直接的に垂下状態まで下降することができる。
【００２７】
側柵本体４は、垂下状態においてはストッパー棒体１０と係合部の係合により所定位置において支持を必要がないので、垂下状態からの側柵本体４の回動上昇に際しては図１２に示されるように解除操作部１８におけるストッパー棒体１０の後退操作はする必要がない。
【００２８】
また図１０に示されるように側柵本体４が水平状態においてストッパー棒体１０が第２の係合部１４に係合している状態において、解除操作部１８におけるストッパー棒体１０の後退操作を行わずに側柵本体４を回動上昇すると、図１３に示されるように、ストッパー棒体１０の傾斜面１９が第２の係合部１４の上端縁に圧接するため、ストッパー棒体１０は第２の係合部１４の上端縁から傾斜面１９に外力を受けて、ばね１１の付勢に抗して後退し、終いには第２の係合部１４の上方に乗り越えることができる。
【００２９】
こうしてストッパー棒体１０に傾斜面１９を形成することにより、側柵本体４は、解除操作部１８におけるストッパー棒体１０の後退操作をしないで、垂下状態から起立状態まで回動上昇することができ、操作が面倒でない。
【００３０】
以上に説明した第１の実施の形態においては、ストッパー棒体が係合する係合部は、側柵本体が起立状態と水平状態においてストッパー棒体が前進する夫々の位置に設けているが、側柵本体を水平状態において支持する必要がない場合には、起立状態においてストッパー棒体が前進する位置にのみ設けても良い。
【００３１】
また以上に説明した第１の実施の形態においては、ストッパー棒体に、側柵本体を回動上昇させる際の前方側に傾斜面を形成しているが、側柵本体を回動上昇させる際のストッパー棒体の後退操作を許容する場合には、この傾斜面を形成しないこともできる。
【００３２】
また以上に説明した第１の実施の形態においては、解除操作部と各ストッパー機構部との間に介装する連動部材として操作リンクを用いているが、操作ワイヤー機構を用いることもできる。
【００３３】
更に以上に説明した第１の実施の形態においては、解除操作部は、側柵本体の中央上部に設けているが、中央下部に設けることもでき、その他適所に設けることができる。
【００３４】
更に以上に説明した第１の実施の形態では、ストッパー部材９は支持棒体１の両端側に設けると共に、これらのストッパー部材９に対応するストッパー機構部８を側柵本体４の両端側に設けた構成としているが、次に説明する第２の実施の形態のように、ストッパー部材１０９を支持棒体１０１の一端側のみに設けると共に、ストッパー部材１０９に対応するストッパー機構部１０８を側柵本体１０４の一端側のみに設けた構成とすることができる。
【００３５】
即ち、図１４〜図２１は本発明に係る仰臥台における側柵の支持機構の第２の実施の形態を示すもので、図１４は本発明を適用した側柵を、起立状態においてボトムの外方から見た状態の斜視図、図１５〜図１７は動作を示す要部斜視図であり、図１８〜図２１は動作を示す模式的断面図である。
符号１０１は支持棒体であり、この支持棒体１０１の両端側に取付部材１０２を設けており、これらの取付部材１０２を仰臥台（図示省略）のボトム支持フレーム１０３に固定することにより、支持棒体１０１を、仰臥台（図示省略）の側部に、ボトムの長手方向に対応させて支持するものとしている。
【００３６】
符号１０４は側柵本体を示すものであって、この側柵本体１０４の下部両端側には上記支持棒体１０１を嵌挿可能な嵌挿部１０５とストッパー機構部１０６を構成しており、上記支持棒体１０１を嵌挿部１０５に嵌挿することにより、側柵本体１０４を起立状態から垂下状態の間で回動可能に支持している。そして支持棒体１の一端側、この実施例において、図１４中の右側の取付部材１０２の内側に、ストッパー機構部１０６に対応するストッパー部材１０７を設けている。
【００３７】
そして、ストッパー機構部１０６には、ストッパー棒体１０８をストッパー部材１０７に対して進退可能に支持し、このストッパー棒体１０８を、その前進方向に付勢するばね１０９を設けると共に、ストッパー棒体１０８をばね１０９の付勢に抗して後退させるための操作機構、この場合、ストッパー棒体１０８の後退側に延長した摘み部１１０を形成している。
【００３８】
一方、ストッパー部材１０７には、側柵本体１０４が起立状態においてストッパー棒体１０８が前進する位置に第１の係合部１１１を設けると共に、側柵本体１０４が水平状態においてストッパー棒体１０８が前進する位置にも第２の係合部１１２を設けており、この第２の係合部１１２は、上側に傾斜面１１３を形成している。
【００３９】
以上の構成において、図１４、図１５及び図１８に示されるように側柵本体４が起立状態においては、ストッパー機構部１０６に進退可能に支持されたストッパー棒体１０８がばね１０９の付勢により前進して、ストッパー部材１０７に設けた第１の係合部１１１に係合するので、支持棒体１０１の回りの側柵本体１０４の回動が阻止されて、側柵本体１０４は起立状態が維持される。
【００４０】
次に起立状態に支持されている側柵本体１０４を患者の乗降等に際して、下降する場合には、摘み部１１０を摘んで図１９に示されるようにストッパー棒体１０８を上方に移動すると、ストッパー棒体１０８が第１の係合部１１１内から外れる。従ってこの状態において側柵本体１０４を支持棒体１０１の回りに回動して下降することができる。
【００４１】
上述したストッパー棒体１０８の後退操作を行って、側柵本体１０４の回動下降を開始した後、摘み部１１０から手を離して解除操作を止めると、側柵本体１０４の回動下降において、ばね１０９で前進方向に付勢されているストッパー棒体１０８の先端が図２０に示されるようにストッパー部材１０７の表面に当接しながら傾斜面１１３を下降して、側柵本体１０４が水平状態に至った際に、第２の係合部１１２に係合して側柵本体１０４は、図１６及び図２１に示されるように水平状態に支持される。
【００４２】
従って水平状態の側柵本体１０４を、点滴等の輸液や処置等の際に上肢を載せる上肢台として利用することができる。
【００４３】
次いで側柵本体１０４を垂下状態まで下降させるには、上述と同様に摘み部１１０によるストッパー棒体１０８の後退操作を行った後に側柵本体４を下降させて、図１７及び図２２に示されるように垂下状態とすることができる。
【００４４】
起立状態において摘み部１１０で行ったストッパー棒体１０８の後退操作を、側柵本体１０４が水平状態よりも僅かに回動下降した位置まで継続することにより、上述した水平状態における係合動作を経ずに直接的に垂下状態まで下降することができる。
【００４５】
側柵本体１０４は、垂下状態においてはストッパー棒体１０８と係合部の係合により所定位置において支持する必要がないので、垂下状態からの側柵本体１０４の回動上昇に際しては摘み部１１０によるストッパー棒体１０８の後退操作はする必要がない。
【００４６】
また図２０に示されるように側柵本体１０４が水平状態でストッパー棒体１０８が第２の係合部１１２に係合している状態において、ストッパー棒体１０８の後退操作を行わずに側柵本体１０４を回動上昇すると、図２０に示されるように、ストッパー棒体１０８は、第２の係合部１１２の傾斜面１１３に沿って移動するため、側柵本体１０４は、ストッパー棒体１０８の後退操作をしないで、垂下状態から起立状態まで回動上昇することができ、操作が面倒でない。
【産業上の利用可能性】
【００４７】
本発明は以上の通りであるので、病院、その他の医療施設、介護施設等において使用する患者搬送用ストレッチャーや、診察台等の仰臥台に使用する側柵の支持機構において、側柵本体を、起立状態と垂下状態の間で回動可能に支持した構成において、側柵本体を起立状態や水平状態において強固に支持して落下を確実に防止できると共に、側柵本体の回動昇降及び起立状態又は水平状態での固定における操作を容易に確実に行うことができるという効果がある。
【００４８】
本発明においては、ストッパー機構部及びそのストッパー棒体が係合する係合部を、側柵本体の両端側に対応して設ければ、側柵本体をより強固に支持することができるが、ストッパー棒体及び係合部を強固な構成とすることにより、一端側のみでも十分に支持することができ、後者の構成では係合の解除操作を一個所で容易に行うことができる。
【図面の簡単な説明】
【００４９】
【図１】本発明を適用した側柵の実施の形態を、起立状態においてボトム（図示省略）側から見た状態の斜視図である。
【図２】本発明を適用した側柵の実施の形態を、起立状態においてボトムの外方から見た状態の正面図である。
【図３】要部の構成及び動作を示す模式的斜視図である。
【図４】他の局面における動作を示す模式的斜視図である。
【図５】更に他の局面における動作を示す模式的斜視図である。
【図６】更に他の局面における動作を示す模式的斜視図である。
【図７】要部の構成及び動作を示す断面図である。
【図８】他の局面における要部の構成及び動作を示す断面図である。
【図９】更に他の局面における要部の構成及び動作を示す断面図である。
【図１０】更に他の局面における要部の構成及び動作を示す断面図である。
【図１１】更に他の局面における要部の構成及び動作を示す断面図である。
【図１２】更に他の局面における要部の構成及び動作を示す断面図である。
【図１３】更に他の局面における要部の構成及び動作を示す断面図である。
【図１４】本発明を適用した側柵の第２の実施の形態を、起立状態においてボトム（図示省略）の外方側から見た状態の斜視図である。
【図１５】図１４の要部の拡大図である。
【図１６】他の局面における要部の拡大図である。
【図１７】更に他の局面における要部の拡大図である。
【図１８】側柵本体が起立状態に支持されている状態における要部の断面図である。
【図１９】起立状態の側柵本体を下降させる場合の動作を示す要部の断面図である。
【図２０】他の局面における要部の断面図である。
【図２１】側柵本体が水平に支持されている状態における要部の断面図である。
【図２２】側柵本体が垂下状態における要部の断面図である。
【符号の説明】
【００５０】
１          支持棒体
２          取付部材
３          ボトム支持フレーム
４          側柵本体
５          矩形フレーム
６          外装部材
７          嵌挿部
８          ストッパー機構部
９          ストッパー部材
１０        ストッパー棒体
１１        ばね
１２        操作機構
１３        第１の係合部
１４        第２の係合部
１５        操作軸
１６        回転板
１７        操作リンク
１８        解除操作部
１９        傾斜面
２０        移動機構
１０１      支持棒体
１０２      取付部材
１０３      ボトム支持フレーム
１０４      側柵本体
１０５      嵌挿部
１０６      ストッパー機構部
１０７      ストッパー部材
１０８      ストッパー棒体
１０９      ばね
１１０      摘み部（操作機構）
１１１      第１の係合部
１１２      第２の係合部
１１３      傾斜面
【図１】
2007244653.tif 000003
【図２】
2007244653.tif 000004
【図３】
2007244653.tif 000005
【図４】
2007244653.tif 000006
【図５】
2007244653.tif 000007
【図６】
2007244653.tif 000008
【図７】
2007244653.tif 000009
【図８】
2007244653.tif 000010
【図９】
2007244653.tif 000011
【図１０】
2007244653.tif 000012
【図１１】
2007244653.tif 000013
【図１２】
2007244653.tif 000014
【図１３】
2007244653.tif 000015
【図１４】
2007244653.tif 000016
【図１５】
2007244653.tif 000017
【図１６】
2007244653.tif 000018
【図１７】
2007244653.tif 000019
【図１８】
2007244653.tif 000020
【図１９】
2007244653.tif 000021
【図２０】
2007244653.tif 000022
【図２１】
2007244653.tif 000023
【図２２】
2007244653.tif 000024